(57)【要約】【課題】多重露光撮影中でもアスペクト比を変更できるようにする。【解決手段】被写体像を光電変換する撮像素子５と、多重露光撮影が指示されている場合に、複数回の撮影により撮像素子５で得られる複数の画像を合成して多重画像を生成する画像合成手段とを備え、多重露光撮影中にアスペクト比の変更が指示された場合、前記画像合成手段は画像が重なる部分のアスペクト比で前記複数の画像を合成する。例えば多重露光撮影の１枚目の画像のアスペクト比が３：２で、２枚目のアスペクト比が４：３である場合は、画像サイズはアスペクト比４：３の方がアスペクト比３：２よりも小さいので、アスペクト比４：３で画像合成処理を行って多重画像を生成する。【選択図】図４
2012019343.tif 000002
【特許請求の範囲】
【請求項１】
被写体像を光電変換する撮像素子と、
多重露光撮影が指示されている場合に、複数回の撮影により前記撮像素子で得られる複数の画像を合成して多重画像を生成する画像合成手段とを備え、
多重露光撮影中にアスペクト比の変更が指示された場合、前記画像合成手段は画像が重なる部分のアスペクト比で前記複数の画像を合成することを特徴とする撮像装置。
【請求項２】
前記画像合成手段は、画像の中心が重なるように前記複数の画像を合成することを特徴とする請求項１に記載の撮像装置。
【請求項３】
多重露光撮影中にアスペクト比の変更が指示された場合、ユーザに対する確認を行う確認手段を備えたことを特徴とする請求項１又は２に記載の撮像装置。
【請求項４】
被写体像を光電変換する撮像素子と、
多重露光撮影に際して、複数回の撮影それぞれでの画像のアスペクト比を設定するアスペクト比設定手段と、
多重露光撮影に際して、複数回の撮影により得られる画像を合成して生成される多重画像のアスペクト比を設定する多重アスペクト比設定手段と、
多重露光撮影が指示されている場合に、複数回の撮影により前記撮像素子で得られる複数の画像を所定のアスペクト比のまま合成する画像合成手段と、
前記画像合成手段で合成した多重画像を、前記多重アスペクト比設定手段で設定されたアスペクト比に変更するアスペクト比変更手段とを備えたことを特徴とする撮像装置。
【請求項５】
前記多重アスペクト比設定手段は、複数のアスペクト比からユーザに選択させて多重画像のアスペクト比を決定することを特徴とする請求項４に記載の撮像装置。
【請求項６】
前記多重アスペクト比設定手段は、前記アスペクト比設定手段で設定されたアスペクト比に基づいて自動的に多重画像のアスペクト比を決定することを特徴とする請求項４に記載の撮像装置。
【請求項７】
被写体像を光電変換する撮像素子を備えた撮像装置の制御方法であって、
多重露光撮影が指示されている場合に、複数回の撮影により前記撮像素子で得られる複数の画像を合成して多重画像を生成するステップを有し、
多重露光撮影中にアスペクト比の変更が指示された場合、前記多重画像を生成するステップでは画像が重なる部分のアスペクト比で前記複数の画像を合成することを特徴とする撮像装置の制御方法。
【請求項８】
被写体像を光電変換する撮像素子と、
多重露光撮影に際して、複数回の撮影それぞれでの画像のアスペクト比を設定するアスペクト比設定手段と、
多重露光撮影に際して、複数回の撮影により得られる画像を合成して生成される多重画像のアスペクト比を設定する多重アスペクト比設定手段とを備えた撮像装置の制御方法であって、
多重露光撮影が指示されている場合に、複数回の撮影により前記撮像素子で得られる複数の画像を所定のアスペクト比のまま合成して多重画像を生成するステップと、
前記生成された多重画像を、前記多重アスペクト比設定手段で設定されたアスペクト比に変更するステップとを有することを特徴とする撮像装置の制御方法。
【請求項９】
被写体像を光電変換する撮像素子を備えた撮像装置を制御するためのプログラムであって、
多重露光撮影が指示されている場合に、複数回の撮影により前記撮像素子で得られる複数の画像を合成して多重画像を生成する処理をコンピュータに実行させ、
多重露光撮影中にアスペクト比の変更が指示された場合、前記多重画像を生成する処理では画像が重なる部分のアスペクト比で前記複数の画像を合成することを特徴とするプログラム。
【請求項１０】
被写体像を光電変換する撮像素子を備えた撮像装置を制御するためのプログラムであって、
多重露光撮影に際して、複数回の撮影それぞれでの画像のアスペクト比を設定するアスペクト比設定手段と、
多重露光撮影に際して、複数回の撮影により得られる画像を合成して生成される多重画像のアスペクト比を設定する多重アスペクト比設定手段と、
多重露光撮影が指示されている場合に、複数回の撮影により前記撮像素子で得られる複数の画像を所定のアスペクト比のまま合成する画像合成手段と、
前記画像合成手段で合成した多重画像を、前記多重アスペクト比設定手段で設定されたアスペクト比に変更するアスペクト比変更手段としてコンピュータを機能させるためのプログラム。
【発明の詳細な説明】
【技術分野】
【０００１】
本発明は、多重露光撮影及び記録画像のアスペクト比の変更が可能な撮像装置、その制御方法及びプログラムに関する。
【背景技術】
【０００２】
従来、多重露光撮影が可能な撮像素子を有する撮像装置としては、特許文献１に記載のものがある。
【０００３】
また、撮影する画像が保存される前に所望のアスペクト比に任意選択的にクロップすることができるカメラとして、特許文献２に記載のものがある。
【先行技術文献】
【特許文献】
【０００４】
【特許文献１】特開２００７−２２１２３７号公報
【特許文献２】特開２００５−１９８３１８号公報
【特許文献３】特開昭６３−２９８２３０号公報
【発明の概要】
【発明が解決しようとする課題】
【０００５】
特許文献１に開示された撮像装置では、撮影ごとに画像をデジタル加算処理することにより多重露光撮影を実現している。この場合に、例えば撮影ごとにアスペクト比を変更すると、切り出し範囲の大きさの違いにより加算される部分と加算されない部分とが混在し、多重露光された領域と多重露光されない領域とが生じるという問題があった。そのため、撮影者が多重露光撮影中にアスペクト比を変えてしまい、多重画像が意図しないものになってしまうことがあった。
【０００６】
そこで、切り出し範囲の大きさの違いにより加算される部分と加算されない部分とが混在することを避けるために多重露光撮影時にアスペクト比を変更することを禁止することが考えられる。例えば特許文献３には、多重露光撮影中は、アスペクト比の変更を禁止するカメラが開示されている。
【０００７】
しかしながら、多重露光撮影中にユーザが自由にアスペクト比を変更することができないのでは、自由な発想での創作画像を作成することができない。
【０００８】
本発明は、上記のような点に鑑みてなされたもので、多重露光撮影中でもアスペクト比を変更できるようにすることを目的とする。
【課題を解決するための手段】
【０００９】
本発明の撮像装置は、被写体像を光電変換する撮像素子と、多重露光撮影が指示されている場合に、複数回の撮影により前記撮像素子で得られる複数の画像を合成して多重画像を生成する画像合成手段とを備え、多重露光撮影中にアスペクト比の変更が指示された場合、前記画像合成手段は画像が重なる部分のアスペクト比で前記複数の画像を合成することを特徴とする。
【発明の効果】
【００１０】
本発明によれば、多重露光撮影中でもアスペクト比を変更できるようにしたので、ユーザの自由な発想で多重露光撮影での創作画像を作成することができる。
【図面の簡単な説明】
【００１１】
【図１】第１の実施形態に係るデジタルカメラの構成を示すブロック図である。
【図２】第１の実施形態に係るデジタルカメラによって実行される撮影処理の手順を示すフローチャートである。
【図３】第１の実施形態における撮影動作の詳細を示すフローチャートである。
【図４】第１の実施形態における画像合成処理を説明する図である。
【図５Ａ】各種画面の推移を説明する図である。
【図５Ｂ】各種画面の推移を説明する図である。
【図５Ｃ】各種画面の推移を説明する図である。
【図６】第２の実施形態における撮影動作の詳細を示すフローチャートである。
【図７】第２の実施形態における画像合成処理を説明する図である。
【発明を実施するための形態】
【００１２】
以下、添付図面を参照して、本発明の好適な実施形態について説明する。
（第１の実施形態）
図１は、第１の実施形態に係る撮像装置の一例であるデジタルカメラの構成を示すブロック図である。１００はデジタル一眼レフレックスカメラ（以下、カメラという）であり、２２０はカメラ１００に対して着脱可能な撮影レンズである。なお、本発明はデジタル一眼レフレックスカメラに限らず、その他デジタルカメラ、デジタルビデオカメラ等の撮像装置一般に適用できるものである。
【００１３】
カメラ１００において、２は主ミラーであり、観察状態と撮影状態に応じて撮影光路に対して斜設又は退去される。３はサブミラーであり、撮影光路に対して斜設された主ミラー２を透過した光束をカメラボディの下方へ向けて反射し焦点検出装置６へ導く。４は後述する撮像素子５の露出量を制御するためのシャッタである。５はＣＣＤセンサやＣＭＯＳセンサ等により構成される撮像素子であり、撮影レンズ２２０により形成された被写体像を光電変換する。
【００１４】
６は焦点検出装置であり、複数の測距エリアを有する位相差検出用のセンサが含まれる。７は測光センサであり、主ミラー２で反射した光束の一部が入射され被写体の輝度信号を４２の測光回路へ出力する。
【００１５】
１６はＡ／Ｄ変換器であり、撮像素子５からのアナログ撮像信号をデジタル信号に変換する。１８はタイミング発生回路であり、撮像素子５、Ａ／Ｄ変換器１６及び後述するＤ／Ａ変換器２６にクロック信号を供給する。該タイミング発生回路１８は、後述するメモリ制御回路２２及びシステム制御回路５０により制御される。
【００１６】
２０は画像処理回路であり、Ａ／Ｄ変換器１６又はメモリ制御回路２２からのデジタル撮像信号に対して、画素補間処理、色変換処理、ＡＷＢ（オートホワイトバランス）、画像合成処理等の各種画像処理を行い、画像信号（映像）が生成される。
【００１７】
２２はメモリ制御回路であり、Ａ／Ｄ変換器１６、タイミング発生回路１８、画像処理回路２０、後述する画像表示メモリ２４、Ｄ／Ａ変換器２６、メモリ３０及び圧縮・伸長回路３２を制御する。画像処理回路２０からの画像信号又はＡ／Ｄ変換器１６からのデジタル撮像信号は、メモリ制御回路２２を介して画像表示メモリ２４、メモリ３０やシステム制御回路５０に送られる。
【００１８】
２４は画像表示メモリである。２６はＤ／Ａ変換器である。２８はＴＦＴ ＬＣＤ等により構成される画像表示部である。画像表示メモリ２４に書き込まれた表示用画像データやカメラの設定メニュー等の画像データは、Ｄ／Ａ変換器２６を介して画像表示部２８に送られ、画像表示部２８にて表示される。
【００１９】
３０はメモリであり、生成された静止画像を格納する。また、メモリ３０は、システム制御回路５０の作業領域としても使用される。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータを再びメモリ３０に書き込む。
【００２０】
４０はシャッタ４を制御する露光制御回路であり、システム制御回路５０を介して撮影レンズ２２０の絞り２２４も制御する。４２は測光回路であり、測光センサ７からの出力をシステム制御回路５０に出力する。
【００２１】
５０はシステム制御回路であり、カメラ１００全体の動作を制御する。システム制御回路５０は、焦点検出装置６の蓄積制御や読み出し制御を行い、周知である位相差検出方法によりデフォーカス量を算出し、そのデフォーカス量等から撮影レンズ２２０のフォーカス駆動や絞り駆動を制御する。また、システム制御回路５０は、不図示の記憶制御手段及び表示制御手段としての機能を有する。
【００２２】
５２はシステム制御回路５０の動作用の定数、変数、コンピュータプログラム等のデータを記憶するメモリである。５４は電気的に消去・記録可能な不揮発性メモリであり、ＥＥＰＲＯＭ等が用いられる。５６は情報出力部であり、文字、画像、音声等を用いてカメラ１００の動作状態やメッセージ等を示す情報を出力する。情報出力部５６は、液晶表示素子やスピーカ等により構成されている。
【００２３】
６０はモードダイヤルスイッチであり電源のオフ、撮像モード（絞り優先モードやプログラムモード等）の切り替え設定するための操作部材である。６２は撮像準備スイッチ（ＳＷ１）と撮影開始スイッチ（ＳＷ２）であり、不図示のシャッタボタンの第１ストローク操作（半押し）により、ＳＷ１がオンとなり、ＡＥ（測光）処理及びＡＦ処理等の撮像準備動作を開始させる。更に、シャッタボタンの第２ストローク操作（全押し）によりＳＷ２がオンとなり、撮像動作を開始させる。ここにいう撮像動作は、シャッタ４の開閉動作、撮像素子５からの撮像信号に基づいて画像処理回路２０にて画像信号を生成する動作、画像信号をメモリ制御回路２２を介してメモリ３０に書き込む動作を含む。また、メモリ３０から画像データを読み出して、圧縮・伸長回路３２で圧縮し、後述する記録媒体２００、２１０に記録する動作も含む。これら一連の撮像動作は、記録用画像の取得動作ということもできる。７０は各種ボタンやタッチパネル等を含む操作部であり、カメラ１００の機能選択や各種設定を行うためのメニュー画面を表示させたり、メニュー項目を決定したりするために操作される。操作部７０には、メニュー画面を表示させるＭＥＮＵ釦、メニュー項目を決定するＳＥＴ釦、項目を選択するダイヤル等が操作部に含まれる。
【００２４】
７８は電源制御回路であり、電池残量の検出を行う電池検出回路、電池からの電源電圧を所定の動作電圧に変換するＤＣ−ＤＣコンバータ、通電するブロックを切り替えるスイッチ回路等を含む。８０はカメラに着脱可能な電池である。８６は電池８０内の電源であり、アルカリ電池やリチウム電池等の一次電池やＮｉＭＨ電池、Ｌｉ電池等の二次電池が使用される。８２、８４は電源８６とカメラ１００との電気的接続を行うためのコネクタである。
【００２５】
９０、９４は記録媒体２００、２１０との通信を行うためのインタフェースであり、９２、９６は記録媒体２００、２１０に接続されるコネクタである。９８はコネクタ９２、９６に記録媒体２００、２１０が装着されているか否かを検知する記録媒体着脱検知器である。
【００２６】
１１０は通信部であり、ＲＳ２３２Ｃ、ＵＳＢ、ＩＥＥＥ１３９４、無線通信等の通信機能を有する。１１２は通信部１１０を介してカメラ１００に他の機器を接続するコネクタであり、無線通信を行う場合はアンテナが接続される。
【００２７】
２００、２１０は記録媒体であり、半導体メモリ、光ディスク、ハードディスク等により構成される。記録媒体２００、２１０は、カメラ１００との通信を行うためのインタフェース２０４、２１４と、カメラ１００との電気的接続を行うコネクタ２０６、２１６とを有する。記録部２０２、２１２には、カメラ１００から出力される圧縮画像データが書き込まれる。
【００２８】
撮影レンズ２２０において、１は複数のレンズにより構成されるレンズ群であり、光軸方向に移動してフォーカス調整を行うフォーカスレンズや光軸方向に移動して変倍を行うズームレンズを含む。２２４は撮像素子５に到達する光量を調節する絞りである。これら撮像レンズ群１及び絞り２２４により撮像光学系が構成される。
【００２９】
２２６はレンズ制御回路であり、システム制御回路５０からの制御信号に応じて、フォーカスレンズ、ズームレンズ及び絞り２２４を駆動する不図示のアクチュエータを制御する。また、レンズ制御回路２２６は、撮影レンズ動作用の定数、変数、プログラム等を記憶するメモリの機能を備える。その他、撮影レンズ固有の番号等の識別情報、管理情報、開放絞り値や最小絞り値、焦点距離等の機能情報、現在や過去の各設定値などを記憶する不揮発メモリの機能も備える。
【００３０】
２２８はコネクタであり、カメラ１００の通信接点部４１と接続されてレンズ制御回路２２６とシステム制御回路５０との間での通信を可能とする。また、コネクタ２２８は、電源８６からの電源電圧を撮影レンズ２２０内に供給する。
【００３１】
図２は、本実施形態に係るデジタルカメラによって実行される撮影処理の手順を示すフローチャートである。本処理は、システム制御回路５０の制御下で実行される。ステップＳ１０１において、システム制御回路５０は、レジスタの初期化やデータの初期化、及び周辺部の初期化等の初期設定を行う。
【００３２】
ステップＳ１０２において、システム制御回路５０は、操作部７０に含まれるカメラ設定ボタン（ＭＥＮＵ釦、ＳＥＴ釦等）やシャッタボタン、メイン電子ダイヤル、サブ電子ダイヤル、モードダイヤルスイッチ６０等の状態検出を行う。
【００３３】
ステップＳ１０３において、カメラの各種設定をするためのＭＥＮＵ釦が押されたならばステップＳ１０４へ移行し、そうでなければステップＳ１０５へ移行する。ステップＳ１０４において、システム制御回路５０はカメラの各種設定を行う。本設定に関しての詳細は後述する。
【００３４】
ステップＳ１０５において、測光／ＡＦ開始ＳＷ（撮像準備スイッチＳＷ１）がオフならばステップＳ１１４へ移行し、そうでなければＳ１０６へ移行する。ステップＳ１０６において、システム制御回路５０は装着された撮影レンズ２２０の各種情報を読み取る。撮影レンズ２２０からレンズ情報を取得する際には、システム制御回路５０が撮影レンズ２２０との通信を行い、撮影レンズ２２０のレンズ情報を取得する。レンズ情報には、レンズ固有情報、焦点距離、絞り値、フォーカスレンズ位置等の情報が含まれている。
【００３５】
ステップＳ１０７において、システム制御回路５０の制御の下、被写体に焦点を合わせるため周知の位相差検出方式による測距演算を行う。ステップＳ１０８において、前記測距演算によるデータに基づいてレンズ駆動量を算出してレンズを駆動する。
【００３６】
ステップＳ１０９において、システム制御回路５０の制御の下、測光回路４２からの出力や設定ＩＳＯ、撮影モード等のカメラ設定から、シャッタスピード（ＣＭＯＳ蓄積時間）、絞り値等を決定するための測光演算処理を行う。ステップＳ１１０において、システム制御回路５０は、測光演算等により求められたシャッタ秒時、絞り値等、カメラの情報を表示部により表示する。
【００３７】
ステップＳ１１１において、撮影操作ＳＷ（撮影開始スイッチＳＷ２）がオンならばステップＳ１１２へ移行し、静止画の撮影動作を行う。
【００３８】
ここで、図３を参照して、図２のステップＳ１１２の撮影動作の詳細を説明する。ステップＳ２０１において、システム制御回路５０はミラーアップを開始し、ミラーアップ完了後にステップＳ２０２へ移行する。ステップＳ２０２において、システム制御回路５０はイメージセンサである撮像素子５の蓄積を開始する。ステップＳ２０３において、システム制御回路５０はシャッタ先幕を走行させて、露光を開始し、シャッタ秒時後にシャッタ後幕を走行させる。ステップＳ２０４において、シャッタの後幕走行完了するまでループする。
【００３９】
ステップＳ２０５において、システム制御回路５０は撮像素子５の蓄積を終了する。ステップＳ２０６において、システム制御回路５０はミラーダウン及びシャッタチャージを開始する。
【００４０】
ステップＳ２０７において、システム制御回路５０は撮像素子５の信号読み出し処理を行う。ステップＳ２０８において、システム制御回路５０の制御下、読み出した信号に補正処理を行う。ステップＳ２０９において、システム制御回路５０は複数回の撮影を行う多重露光撮影であるかどうかを判定し、多重露光撮影であればステップＳ２１０へ移行し、そうでなければステップＳ２１４へ移行する。
【００４１】
ステップＳ２１０において、システム制御回路５０は多重カウンタをカウントダウン（−１）する。ステップＳ２１１において、システム制御回路５０はアスペクト比が変更したかどうかを確認する。ステップＳ２１２において、ステップＳ２１１でアスペクト比が変更されていた場合、多重画像を得るための画像合成処理としては、画像が重なる部分が残るように（画像が重なる部分のアスペクト比で）画像合成処理が施される。アスペクト比が変更されていない場合、そのまま画像合成処理が施される。
【００４２】
例えば図４（ａ）に示すように、多重露光撮影の１枚目の画像のアスペクト比が３：２で、２枚目のアスペクト比が４：３である場合は、画像サイズはアスペクト比４：３の方がアスペクト比３：２よりも小さい。したがって、アスペクト比４：３で画像合成処理を行って多重画像を生成する。同様に、図４（ｂ）に示すように、多重露光撮影の１枚目の画像のアスペクト比が３：２で、２枚目のアスペクト比が１６：９である場合は、画像サイズはアスペクト比１６：９の方がアスペクト比３：２よりも小さい。したがって、アスペクト比１６：９で画像合成処理を行って多重画像を生成する。画像合成処理は、画像の中心が重なるように行われる。撮影の順序が反対の場合、例えば図４（ａ）の逆の順序で撮影した場合、すなわち多重露光撮影の１枚目の画像のアスペクト比が４：３で、２枚目のアスペクト比が３：２である場合でも、アスペクト比４：３で画像合成処理を行って多重画像を生成する。また、本実施形態では、画像合成処理は画像の中心が重なるように位置合わせして行われるが、これに限らず、上下左右のいずれか一辺を揃える、画像データの４隅のいずれかを揃えるなど、位置合わせの方法は様々に考えられる。
【００４３】
図３に説明を戻して、ステップＳ２１３において、システム制御回路５０は多重カウンタが０になったかどうかを確認する。多重カウンタが０でない場合、すなわち多重露光撮影の残りがある場合、サブルーチンを抜けて、次の撮影を行う（図２に戻る）。多重カウンタが０である場合、すなわち多重露光撮影の残りがない場合、ステップＳ２１４へ移行し、多重画像の処理を行う。
【００４４】
ステップＳ２１４において、システム制御回路５０の制御下、画像データを所定の方法により圧縮する。ステップＳ２１５において、システム制御回路５０はヘッダー情報を作成する。ステップＳ２１６において、システム制御回路５０はヘッダー情報や画像データ等から画像ファイルを作成する。ステップＳ２１７において、システム制御回路５０は作成した画像ファイルをハードディスクに書き込み、この撮影動作フローを終了する。以上により撮影動作を終了し、図２に戻ると、ステップＳ１０２へ移行し、再びスイッチの検出を行う。
【００４５】
ステップＳ１１１において、撮影操作ＳＷがオフならばステップＳ１１３へ移行する。ステップＳ１１３において、測光／ＡＦ開始ＳＷがオンならばステップＳ１０６へ移行して、そうでなければステップＳ１１４へ移行する。
【００４６】
ステップＳ１１４において、モードダイヤルスイッチ６０により電源がオンであればステップＳ１０２へ移行して、カメラの設定変更や撮影動作を続ける。多重露光撮影の場合は設定された回数撮影を行うまでこのループを繰り返す。電源がオンでなければ、ステップＳ１１５へ移行する。ステップＳ１１５において、システム制御回路５０はカメラの動作を終了させるために、周辺回路への電源オフの指示やデータの退避等の終了設定を行い、動作を終了する。
【００４７】
図５Ａ〜図５Ｃを参照して、ステップＳ１０４における各種設定について説明する。ＭＥＮＵ釦を押すと、カメラの設定メニューが表示される。カメラの設定メニューには、撮影に関するもの、画像再生に関するもの、その他各種の設定項目に関するものがある。ここでは、多重露出とアスペクト比の設定についてのみ説明する。多重露出とアスペクトの設定は、記録サイズ等と同じ撮影に分類されている。
【００４８】
ＭＥＮＵ釦を押すと図５Ａの［画面１］が表示される。ダイヤルを操作することにより、設定する項目（記録サイズ、多重露出、アスペクト比、・・・）をフォーカスすることができる。
【００４９】
図５Ａの［画面２］のようにアスペクト比の項目をフォーカスして、ＳＥＴ釦を押すと、［画面３］のようにアスペクト比設定画面に移る。アスペクト比は、３：２、４：３、１６：９、１：１の選択肢があり、ダイヤルを操作することにより選択することができる。撮影した画像はここで設定されたアスペクト比にトリミングされる。撮像素子のアスペクト比と同じ３：２が選択されると、撮影した画像をトリミングせずにファイルに保存する。４：３や１：１が選択されると、左右を切り取るトリミング処理を行う。１６：９が選択されると、上下を切り取るトリミング処理を行う。なお、本実施形態では撮像素子のアスペクト比を３：２として説明しているが、もちろんこれに限らない。撮像素子のアスペクト比と異なる画像に関しては、トリミング処理を行う。
【００５０】
また、図５Ａの［画面１］のように多重露出の項目をフォーカスして、ＳＥＴ釦を押すと、図５Ｂの［画面４］のように多重露出設定画面に移る。多重露出設定画面では、多重露出／多重枚数／多重アスペクト比の設定項目があり、ダイヤルを回すことによりそれぞれの項目をフォーカスすることができる。［画面４］⇔［画面５］⇔［画面６］のように所望の項目をフォーカスして、ＳＥＴ釦を押すと、［画面７］、［画面８］、［画面９］のようにそれぞれの設定画面に移る。
【００５１】
設定項目「多重露出」では、多重露出を実行するかを設定する。［画面４］のように多重露出の設定項目をフォーカスして、ＳＥＴ釦を押すと［画面７］に移り、ダイヤル操作により「する」又は「しない」をフォーカスすることができる。いずれかをフォーカスした状態でＳＥＴ釦を押すと、フォーカスされた項目が選択され、［画面４］に戻る。
【００５２】
設定項目「多重枚数設定」では、多重で重ねる画像の枚数を設定する。［画面５］のように多重枚数設定の設定項目をフォーカスして、ＳＥＴ釦を押すと［画面８］に移り、ダイヤル操作により多重枚数を変更することができる。多重枚数を指定した状態でＳＥＴ釦を押すと、その枚数が設定され、［画面５］に戻る。設定された多重枚数は、多重カウンタに記憶される。なお、設定項目「多重露出」で「しない」が設定されている場合、多重カウンタは０に設定される。
【００５３】
設定項目「多重アスペクト比」では、多重露光撮影で合成した多重画像のアスペクト比（以下では、多重アスペクト比と称する）を設定する。［画面６］のように多重アスペクト比の設定項目をフォーカスして、ＳＥＴ釦を押すと［画面９］に移り、多重アスペクト比をフォーカスすることができる。多重アスペクト比は、３：２、４：３、１６：９、１：１、自動の選択肢がある。設定したい多重アスペクト比をフォーカスした状態でＳＥＴ釦を押すと、その多重アスペクト比が設定され、［画面６］に戻る。「自動」を選択した場合、詳細は第２の実施形態で後述するが、多重露光撮影中の個々のアスペクト比によって自動的に合成した画像のアスペクト比が決定される。
【００５４】
多重露出設定画面［画面４］、［画面５］、［画面６］でＭＥＮＵ釦を押すと、［画面１］に戻る。
【００５５】
図５Ｃを参照して、多重露光撮影中の図２のステップＳ１０４における各種設定について説明する。ＭＥＮＵ釦を押すと、カメラの設定メニューが表示される。多重露光撮影中の場合「アスペクト比」をフォーカスしてＳＥＴ釦を押すと、［画面１０］の状態になる。多重露光撮影中にアスペクト比を誤って変えてしまわないように、確認の画面を出す。アスペクト比を意識的に変更する場合は、「はい」をフォーカスしてＳＥＴ釦を押すことにより［画面３］になる。ここで、多重露光を行っていないときと同様に、アスペクト比を選択することができる。「いいえ」をフォーカスしてＳＥＴ釦を押せば、設定は変更せずに［画面２］に戻る。メニュー画面による設定は、ＭＥＮＵ釦を押すことにより終了する。
【００５６】
以上述べたように、本実施形態では、撮影ごとに画像をデジタル加算処理して多重露光撮影を実現する際に、撮影した画像サイズが前回までの多重露光していたアスペクト比と変わっていたら、今回撮影した画像、及び前回までの多重露光した画像の重なる部分のアスペクト比で画像処理する。これにより、多重露光中にアスペクト比が変化しても、画像破綻しないようにすることができる。
【００５７】
また、多重露光撮影中にアスペクト比を変更しようとした場合、警告或いは確認表示がされる。これにより、ユーザが意図しない多重露光撮影中のアスペクト比の変更を避けることができる。
【００５８】
（第２の実施形態）
次に、本発明の第２の実施形態について説明する。第２の実施形態に係るデジタルカメラの構成及び撮影処理は第１の実施形態の図１、図２と同様であり、ここではその詳細な説明を省略する。
【００５９】
ここで、図６を参照して、図２のステップＳ１１２の撮影動作の詳細を説明する。ステップＳ３０１において、システム制御回路５０はミラーアップを開始し、ミラーアップ完了後にステップＳ３０２へ移行する。ステップＳ３０２において、システム制御回路５０はイメージセンサである撮像素子５の蓄積を開始する。ステップＳ３０３において、システム制御回路５０はシャッタ先幕を走行させて、露光を開始し、シャッタ秒時後にシャッタ後幕を走行させる。ステップＳ３０４において、シャッタの後幕走行完了するまでループする。
【００６０】
ステップＳ３０５において、システム制御回路５０は撮像素子５の蓄積を終了する。ステップＳ３０６において、システム制御回路５０はミラーダウン及びシャッタチャージを開始する。
【００６１】
ステップＳ３０７において、システム制御回路５０は撮像素子５の信号読み出し処理を行う。ステップＳ３０８において、システム制御回路５０の制御下、読み出した信号に補正処理を行い、今回撮影の画像データとして一時保存する。ステップＳ３１０において、システム制御回路５０は複数回の撮影を行う多重露光撮影であるかどうかを判定し、多重露光撮影であればステップＳ３２０へ移行し、そうでなければステップＳ３１１へ移行する。
【００６２】
多重露光撮影でない場合、ステップＳ３１１において、システム制御回路５０の制御下、今回撮影の画像データは設定されたアスペクト比にトリミングされる。ここでのアスペクト比は、図５Ａの［画面３］により設定されたものである。
【００６３】
ステップＳ３１２において、システム制御回路５０の制御下、トリミングされた今回撮影の画像データを所定の方法により圧縮する。ステップＳ３１３において、システム制御回路５０は今回撮影の画像データのヘッダー情報を作成する。ステップＳ３１４において、システム制御回路５０はヘッダー情報や画像データ等から、今回撮影の画像ファイルを作成する。ステップＳ３１５において、システム制御回路５０は作成した画像ファイルをハードディスクに書き込み、この撮影動作フローを終了する。
【００６４】
多重露光撮影である場合、ステップＳ３２０において、システム制御回路５０は多重画像を得るための画像合成処理を行う。ここで、多重露光撮影の１枚目の場合は、今回撮影の画像データを所定のメモリに合成用画像データとして一時的に保存する。ここで保存される合成用画像データは指定されたアスペクト比にトリミングする前のデータである（図７でいう多重材料）。この合成用画像データは多重露光撮影が終了するまで保存される。多重露光撮影の２枚目以降の場合は、メモリに保存されたそれまでの合成用画像データと今回撮影の画像データをデジタル的に加算して再度合成用画像データとして所定のメモリに保存する。画像合成処理を行う今回撮影の画像データも保存された合成用画像データもトリミングされていないため、この後、指定されたアスペクト比でトリミングされてしまう部分も画像データが保存されている。
【００６５】
ステップＳ３３０において、システム制御回路５０は多重カウンタをカウントダウン（−１）する。ステップＳ３３２において、システム制御回路５０は多重カウンタが０になったかどうかを確認する。多重カウンタが０でない場合、すなわち多重露光撮影の残りがある場合、ステップＳ３１１へ分岐し、通常と共通な処理に戻る。多重カウンタが０である場合、すなわち多重露光撮影の残りがない場合、ステップＳ３４０へ移行する。ステップＳ３４０において、システム制御回路５０の制御下、合成した画像が、設定された多重アスペクト比にトリミングされる。ここでの多重アスペクト比は図５（ｂ）の［画面９］により設定されたものである。
【００６６】
例えば図７（ａ）の場合、１枚目の画像は４：３でトリミングされ、２枚目の画像は１：１でトリミングされる（１枚目撮影と２枚目撮影の間に図５Ａの［画面３］により設定変更を行う）。また、多重画像のアスペクト比は図５Ｂの［画面９］により設定する。例えば１６：９に設定した場合、多重画像は１６：９でトリミングされる（このとき、撮影された２枚の画像はそれぞれ、４：３、１：１でトリミングされている）。
【００６７】
ステップＳ３５０において、システム制御回路５０の制御下、トリミングされた合成画像（多重画像）データを所定の方法により圧縮する。ステップＳ３５２において、システム制御回路５０は多重画像データのヘッダー情報を作成する。ステップＳ３５４において、システム制御回路５０はヘッダー情報や画像データ等から、多重画像の画像ファイルを作成する。ステップＳ３５６において、システム制御回路５０は作成した画像ファイルをハードディスクに書き込む。ここまでに合成した１６：９の多重画像の処理、書き込みが終了する。
【００６８】
その後、ステップＳ３１１へ移行し、通常と共通な処理に戻る。ステップＳ３１１からは、多重露光撮影モードで撮影された最後の画像の処理が行われる（図７（ａ）の例では１：１の画像の処理）。
【００６９】
例えば図７（ａ）の場合、４：３、１：１の画像と、合成した１６：９の多重画像を得ることができる。
【００７０】
以上、本発明の好ましい実施形態について説明したが、本発明はこれらの実施形態に限定されず、その要旨の範囲内で種々の変形及び変更が可能である。例えば、図５Ｂの［画面９］で多重アスペクト比を「自動」に設定した場合、多重露光撮影中に一番多く使用されたアスペクト比を自動設定し、そのアスペクト比で合成した画像をトリミングするようにしてもよい。例えば、図７（ｂ）の場合、１枚目、２枚目は１：１のアスペクト比で撮影し、３枚目を１６：９で撮影して合成する場合、合成した画像は、一番多く使用されたアスペクト比１：１でトリミングされる。
【００７１】
またこれとは別に、図５Ｂの［画面９］で多重アスペクト比を「自動」に設定した場合、合成した画像のアスペクト比を決定する方法として、多重露光撮影最後の画像のアスペクト比と同じに設定したり、多重露光撮影１枚目のアスペクト比に設定したりする等がある。
【００７２】
以上述べたように、本実施形態では、多重露光撮影中の複数回の撮影それぞれに対して撮像素子をフルに使った画像を一時的に保存するとともに指定されたアスペクト比の画像を保存する。これにより、個々の撮影に対する指定されたアスペクト比の画像と任意のアスペクト比の多重画像を得ることができる。すなわち、上記第１の実施形態では、３：２の多重アスペクト比の多重画像を得るためには多重露光撮影を全て３：２のアスペクト比で撮影しなければならない。それに対して、第２の実施形態では、３：２の多重アスペクト比の多重画像を得るとともに、多重露光撮影のそれぞれで所望のアスペクト比で撮影を行うことができる。このように多重露光撮影中でもアスペクト比を自由に変更することができ、多重画像のアスペクト比も変更できるようにすることで、ユーザの自由な発想で多重露光撮影での創作画像を作成することができる。
【００７３】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００７４】
４：シャッタ、５：撮像素子、２０：画像処理回路、３０：メモリ、３２：圧縮・伸長回路：５０：システム制御回路、７０：操作部、２００、２１０：記録媒体
【図１】
2012019343.tif 000003
【図２】
2012019343.tif 000004
【図３】
2012019343.tif 000005
【図４】
2012019343.tif 000006
【図５Ａ】
2012019343.tif 000007
【図５Ｂ】
2012019343.tif 000008
【図５Ｃ】
2012019343.tif 000009
【図６】
2012019343.tif 000010
【図７】
2012019343.tif 000011